(57)【要約】【課題】従来と同等の品質を維持したまま、組立上の不具合解消し、且つ、排出開口周りのパッキン部材を小さくすることによってコンパクト化にも対応すること。【解決手段】画像形成装置本体に現像剤を供給するための現像剤補給容器において、現像剤を収納する現像剤補給容器本体と、該現像剤補給容器本体に収納されている現像剤を排出するため現像剤補給容器本体に設けられた現像剤排出開口と、該現像剤排出開口を開封可能に封止するための容器シャッタと、前記現像剤排出開口の周囲に固定されて前記現像剤排出開口と前記容器シャッタ間で圧縮されることによってシール性を維持するパッキン部材と、を有し、前記パッキン部材の前記容器シャッタ開閉方向に交差する開口部端縁には、開口部内側からスリット状の切り込みが設けられており、前記スリットにより仕切られた部分は、前記シャッタと摺動する面と同一面上にある構成の現像剤補給容器。【選択図】図１
2005221866.tif 000002
【特許請求の範囲】
【請求項１】
電子写真画像形成装置本体に現像剤を供給するための現像剤補給容器において、
前記電子写真画像形成装置本体に供給するための現像剤を収納する現像剤補給容器本体と、該現像剤補給容器本体に収納されている現像剤を排出するため現像剤補給容器本体に設けられた現像剤排出開口と、該現像剤排出開口を開封可能に封止するための容器シャッタと、前記現像剤排出開口の周囲に固定されて前記現像剤排出開口と前記容器シャッタ間で圧縮されることによってシール性を維持するパッキン部材と、を有し、前記パッキン部材の前記容器シャッタ開閉方向に交差する開口部端縁でもって、前記シャッタが前記現像剤排出開口を封止する際に最後に接触する側には、開口部内側からスリット状の切り込みが前記シャッタ開閉方向と交差する方向の両端部近傍にそれぞれ少なくとも１つずつ設けられており、前記スリットにより挟まれた部分と、前記スリットにより挟まれていない部分は、前記シャッタと摺動自在に設けられていることを特徴とする現像剤補給容器。
【請求項２】
前記スリットによって挟まれた部分の前記シャッタ開閉方向と交差する方向の長さ（Ｌ１）と、開口部の長さ（Ｌ２）は、２×Ｌ１＞Ｌ２、Ｌ１≦Ｌ２であることを特徴とする請求項１記載の現像剤補給容器。
【請求項３】
前記シャッタの前記パッキン部材と向かい合う側の面には、表面に低摩擦抵抗材料を配置したシール部材が設けてあることを特徴とする請求項１記載の現像剤補給容器。
【請求項４】
前記シール部材は前記シャッタの閉方向端部から張り出していることを特徴とする請求項２記載の現像剤補給容器。
【請求項５】
前記スリット状の切り込みが前記シャッタ開閉方向に交差する前記パッキン部材の開口部端縁の両端側に設けられていることを特徴とする請求項１記載の現像剤補給容器。
【請求項６】
前記パッキン部材の材質は、シリコン、ウレタン等のゴムやスポンジ、発泡ポリエチレン等のスポンジであることを特徴とする請求項１記載の現像剤補給容器。
【請求項７】
前記パッキン部材の材質は、アスカーＣ硬度２０°〜７０°、圧縮永久歪１０％以下、セルサイズ６０〜３００μｍ、密度０．１５〜０．５０ｇ／ｃｍ３
である低発泡ポリウレタンであることを特徴とする請求項１記載の現像剤補給容器。
【発明の詳細な説明】
【技術分野】
【０００１】
本発明は、複写機やプリンタ等の電子写真画像形成装置に現像剤を補給する現像剤補給容器に関するものである。
【背景技術】
【０００２】
従来の現像剤補給容器には、排出開口の周囲に固定されたパッキン部材を設けたものがあり、前記パッキン部材は、容器シャッタと前記排出開口との間で圧縮されることによってシール性を維持しているものがある（例えば、特許文献１参照）。
【０００３】
以下、図１２及び図１３により従来の現像剤補給容器について説明する。
【０００４】
図１２は従来の現像剤補給容器の外観図（シャッタ不図示）であり、画像形成装置本体内に装着される。この現像剤補給容器１は、本体にそのまま据え置かれて使用される所謂据え置き型（ビルトイン）のものであって、収納している現像剤を使い切るまで徐々に現像部へ現像剤を供給する。この現像剤補給容器１は、排出開口部１２に容器シャッタ２を設けた構成となっており、シール性を確保するためにパッキン部材３を排出開口部１２の周りに有している。
【０００５】
容器シャッタ２の開閉は、現像剤容器に設けたノブ（ハンドル）５を回し、ノブ５に設けた駆動力伝達側係合部（ギア）５ａが、本体側の駆動力受側係合部（ギア）１０３と係合することで、本体側の駆動力伝達側係合部（ギア）１０２を介して容器シャッタ２に設けた駆動力受側係合部（ギア）２ａに駆動を伝達し、容器シャッタ２を開閉する構成となっている。この容器シャッタ２の開閉動作をよりスムーズに行うために、容器シャッタ２とパッキン部材３との滑り性向上のため、容器シャッタ２のパッキン部材３と摺動する面に、低摩擦抵抗材料で成るシール部材４を配置している。又、このシール部材４は、容器シャッタ２開閉の際の現像剤による汚れを防止する目的で、容器シャッタ２開閉方向の閉方向に張り出している（図１参照）。
【０００６】
更に、容器シャッタ２に設けたシール部材４の端部が、前記容器シャッタ２の開閉動作によって、排出開口１２に設けたパッキン部材３と干渉してこれが削れたり、捲れたりするのを防止するために、前記排出開口１２の前記容器シャッタ２開閉方向と交差する方向の開口部端縁に、排出開口１２に向かって傾斜する斜面１２ａを設け、その傾斜部１２ａに前記パッキン部材３を貼り付け干渉を防止していた（図１３）。
【０００７】
【特許文献１】特開２００１−１９４８８４号公報（第１８頁、図４、図１７）
【発明の開示】
【発明が解決しようとする課題】
【０００８】
しかしながら、上記従来例では、前記パッキン部材は往々にして両面テープにて貼り付けられている。そのため、組立工程において前記パッキン部材の傾斜面における貼りズレ管理や、傾斜面に貼り付けることでの両面テープの浮き等の管理、加えて両面テープの接着強度管理等の管理項目が発生し、又、組立上も貼り付けミス等の不具合が発生する可能性があった。更には、排出開口に傾斜面を設けることで、パッキン部材も自ずと容器シャッタ開閉方向に大きくなり、コンパクト化対応がしにくい状態であった。
【０００９】
そこで、本発明の目的は、従来と同等の品質を維持したまま、組立上の不具合解消を目的とし、且つ、排出開口周りのパッキン部材を小さくできることでコンパクト化にも対応することを目的とする。
【課題を解決するための手段】
【００１０】
上記目的を達成するため、請求項１記載の発明は、電子写真画像形成装置本体に現像剤を供給するための現像剤補給容器において、前記電子写真画像形成装置本体に供給するための現像剤を収納する現像剤補給容器本体と、該現像剤補給容器本体に収納されている現像剤を排出するため現像剤補給容器本体に設けられた現像剤排出開口と、該現像剤排出開口を開封可能に封止するための容器シャッタと、前記現像剤排出開口の周囲に固定されて前記現像剤排出開口と前記容器シャッタ間で圧縮されることによってシール性を維持するパッキン部材と、を有し、前記パッキン部材の前記容器シャッタ開閉方向に交差する開口部端縁でもって、前記シャッタが前記現像剤排出開口を封止する際に最後に接触する側には、開口部内側からスリット状の切り込みが前記シャッタ開閉方向と交差する方向の両端部近傍にそれぞれ少なくとも１つずつ設けられており、前記スリットにより挟まれた部分と、前記スリットにより挟まれていない部分は、前記シャッタと摺動自在に設けられていることを特徴とする。
【００１１】
請求項２記載の発明は、請求項１記載の発明において、前記スリットによって挟まれた部分の前記シャッタ開閉方向と交差する方向の長さ（Ｌ１）と、開口部の長さ（Ｌ２）は、２×Ｌ１＞Ｌ２、Ｌ１≦Ｌ２であることを特徴とする。
【００１２】
請求項３記載の発明は、請求項１記載の発明において、前記シャッタの前記パッキン部材と向かい合う側の面には、表面に低摩擦抵抗材料を配置したシール部材が設けてあることを特徴とする。
【００１３】
請求項４記載の発明は、請求項２記載の発明において、前記シール部材は前記シャッタの閉方向端部から張り出していることを特徴とする。
【００１４】
請求項５記載の発明は、請求項１記載の発明において、前記スリット状の切り込みが前記シャッタ開閉方向に交差する前記パッキン部材の開口部端縁の両端側に設けられていることを特徴とする。
【００１５】
請求項６記載の発明は、請求項１記載の発明において、前記パッキン部材の材質は、シリコン、ウレタン等のゴムやスポンジ、発泡ポリエチレン等のスポンジであることを特徴とする。
【００１６】
請求項７記載の発明は、請求項１記載の発明において、前記パッキン部材の材質は、アスカーＣ硬度２０°〜７０°、圧縮永久歪１０％以下、セルサイズ６０〜３００μｍ、密度０．１５〜０．５０ｇ／ｃｍ3である低発泡ポリウレタンであることを特徴とする。
【発明の効果】
【００１７】
請求項１及び２記載の発明によれば、従来の構成と比べても、パッキン部材の削れや捲れを防止する効果は同等で、且つ、組立上管理項目を削減でき、組立工程の簡素化が図れるだけでなく、排出開口部のパッキン部材をコンパクトにすることが可能となり、現像剤補給容器のコンパクト化対応が容易となる。又、コンパクト化が図れることでコストダウンも可能となる。又、組立後のパッキン部材の浮きといった品質上の不具合も解消でき、製品の信頼性向上を図ることができる。
【００１８】
請求項３記載の発明によれば、容器シャッタのパッキン部材との摺動摩擦抵抗を低く抑えることができるため、容器シャッタの開封強度を低減することができる。
【００１９】
請求項４記載の発明によれば、容器シャッタと本体側シャッタとの隙間を塞ぐことができ、開閉動作及び脱着時の汚れを防ぐことができる。
【００２０】
請求項５記載の発明によれば、容器シャッタ開閉時に、パッキン部材の開口部両端縁での捲れる力を分散することができ、削れや捲れを防止することができる。
【００２１】
請求項６記載の発明によれば、高いシール性と適度な摺動性を兼ね備えた最も好適なパッキン部材を得ることができる。
【００２２】
請求項７記載の発明によれば、高いシール性と適度な摺動性を兼ね備えた最も好適なパッキン部材を得ることができるとともに、パッキン部材は圧縮されてもその厚さが減少しにくいため、該パッキン部材の開口端縁は反発力が維持され、シール性は良くなるものの、容器シャッタに対抗する力も強くなり、捲れ易くなるため、前記請求項１記載の発明の効果が更に高められる。
【発明を実施するための最良の形態】
【００２３】
以下に本発明の実施の形態を添付図面に基づいて説明する。
【００２４】
以下に説明する各実施の形態、電子写真画像形成装置本体に現像剤を供給するための現像剤補給容器に関するものであって、該現像剤補給容器は、現像剤を収納する現像剤収納部と、該現像剤収納部に収納された現像剤を排出するための現像剤排出開口と、該現像剤排出開口を開封可能に封止するための開閉部材と、画像形成装置本体に装着された際に前記現像剤排出開口を開放するために前記開閉部材を移動させるための駆動力を受ける駆動力受部とを有している。
【００２５】
本発明の実施の形態に係る現像剤補給容器１は画像形成装置本体内の現像剤補給装置１００内に装着される。この現像剤補給容器１はそのまま据え置かれる所謂据え置き型（ビルトイン）のものであって、収納している現像剤を使い切るまで徐々に現像部へ現像剤を供給する。尚、本発明は据え置き型の現像剤補給容器にその適用が限定されず、例えば所謂一括供給型現像剤補給容器にも適用される。
【００２６】
＜実施の形態１＞
図２及び３は本発明の特徴を最も良く表す図面であり、同図において、１は画像形成装置本体（以下、装置本体）に供給するための現像剤を収納する現像剤補給容器（以下、補給容器）、１ａは現像剤補給容器本体（以下、容器本体）、２は前記容器本体１ａの容器シャッタガイド部１１にスライド自在に設けられ、排出開口１２を開閉する容器シャッタ、３は前記排出開口１２の周りに設けられ、前記容器シャッタ２と前記容器本体１との間で圧縮されてシール性を維持するためのパッキン部材、４は前記パッキン部材３と前記容器シャッタ２において、摺動強度を低減するために前記容器シャッタ２の摺動する面に設けられた低摩擦抵抗材料を配置したシール部材、３ａは前記パッキン部材３に設けられたスリット、５は装置本体に装着した際に、装置本体内に設けられた駆動伝達部（不図示）と係合し、回動することで前記容器シャッタ２に設けられた駆動伝達部（ギア部）に駆動を伝え開閉可能とするノブ（ハンドル）である。
【００２７】
装置本体に補給容器１を挿入し、容器シャッタ２を開閉させるための構成は、例えば特許文献１記載の構成を用いている。詳細を以下に説明する。
【００２８】
（１）現像剤補給容器１の装着：
装置本体に設けられた開閉部材（不図示）を開き、次に容器本体１ａのガイド部１３を現像剤補給装置１００（以下、補給装置：図４）に係合させる。そして、ノブ５と反対側を先頭にして補給容器１を挿入する。すると、先ず補給容器１の容器シャッタ２と補給装置１００内の本体シャッタ１０１とが係合する。そして、駆動力伝達側係合部１０２と容器シャッタ２の駆動力受側係合部２ａとが係合する。そして最後に、補給装置１００側の駆動力受側係合部１０３とノブ５の駆動力伝達係合部５ａとが係合する。
【００２９】
（２）現像剤補給容器１の設置：
補給容器１が補給装置１００に装着された状態で、操作者がノブ５を手動にて時計回りに回動させる。すると、回転による駆動力がノブ５の駆動力伝達側係合部５ａから補給装置１００の駆動力受側係合部１０３、補給装置１００の駆動力伝達側係合部１０２を介して容器シャッタ２の駆動力受側係合部２ａへ伝達される。このように伝達された駆動力によって、容器シャッタ２は補給装置１００の本体シャッタ１０１に係合しながらスライド移動する。このとき、本体シャッタ１０１は容器シャッタ２のスライド移動に連動する。そのため、補給容器１の排出開口１２、本体シャッタ開口１０１ａ及び補給装置１００内の現像剤補給開口１０４は同時に開放される。
【００３０】
尚、これらの操作中に容器本体１ａは回転しないため、補給容器１はノブ５の回転には連動せず、補給装置１００内で固定されている。
【００３１】
（３）現像剤補給容器１の取り出し：
補給容器１の装置本体からの取り出しは、前述の動作の逆を行うことで可能となる。即ち、ノブ５を反時計回りに回動させる。すると、回転による駆動力がノブ５の駆動力伝達側係合部５ａから補給装置１００の駆動力受側係合部１０３、補給装置１００の駆動力伝達側係合部１０２を介して容器シャッタ２の駆動力受側係合部２ａへ伝達される。このように伝達された駆動力によって、容器シャッタ２は補給装置１００の本体シャッタ１０１に係合しながらスライド移動する。このとき、本体シャッタ１０１は容器シャッタ２のスライド移動に連動する。そのため、補給容器１の排出開口１２、本体シャッタ開口１０１ａ及び補給装置１００内の現像剤補給開口１０４は同時に封止される。
【００３２】
次に、本発明の実施の形態１の補給容器１について説明する（図１及び図２）。
【００３３】
容器本体１ａには現像剤を排出するための排出開口１２が前記容器本体１の側面の曲面部に設けられ、前記排出開口１２の周りには、シール性を維持するためのパッキン部材３が設けられている。前記パッキン部材３にはスリット３ａが設けられている。前記スリット３ａは、前記パッキン部材３の前記容器シャッタ２の開閉方向に交差する開口部同一端縁の両端側近傍に少なくとも１つずつ設けられており、前記スリット３ａにより挟まれた部分の容器シャッタ２開閉方向と交差する方向の幅（Ｌ１）は、排出開口１２の幅（Ｌ２）の１／２よりも大きく設けられている。好ましくは、前記開口部端縁の両端部に設けられているのが望ましい。又、前記パッキン部材３において前記スリット３ａによって挟まれた部分３ｂ１と、挟まれていない部分とは容器シャッタ２と摺動自在に設けられている。
【００３４】
又、前記排出開口１２は容器シャッタ２により封止される。前記容器シャッタ２は容器本体１ａに設けられた容器シャッタガイド１１にスライド自在に設けられている。排出開口１２からの現像剤の漏れを防止するのは、パッキン部材３を容器シャッタ２によって圧縮することで可能となる。又、容器シャッタ２の摺動性を上げるために、容器シャッタ２のパッキン部材３と摺動する面に低摩擦抵抗部材によって作られたシール部材４が貼付されており、前記シール部材４は、容器シャッタ２の閉方向に張り出している。これは例えば特許文献１、第８頁〜第９頁に記載されているように、容器シャッタ２と本体シャッタ１０１との隙間を塞ぎ、容器シャッタ２の開閉時及び補給容器１の交換作業時の現像剤による汚れを防止するために張り出している。
【００３５】
パッキン部材３としては、柔らかい弾性体が好ましく、材質として具体的にはシリコン、ウレタン等のゴムやスポンジ、発泡ポリエチレン等のスポンジ、好ましくはアスカーＣ硬度２０°〜７０°、圧縮永久歪１０％以下、セルサイズ６０〜３００μｍ、密度が０．１５〜０．５０ｇ／ｃｍ3である低発泡性ポリウレタンを用いる。前記パッキン部材３の硬度は、ＳＲＩＳ０１０１（日本ゴム協会標準規格）に基づいて、アスカーＣ型硬度計を用いて測定する。又、密度及び圧縮永久歪はＪＩＳ  Ｋ６４０１に基づいて測定する。
【００３６】
又、パッキン部材３の厚さとしては、シール性や容器シャッタ２の開封強度を考慮すると好ましくは１〜５ｍｍ、より好ましくは２〜４ｍｍである。そして、パッキン部材３は高いシール性を維持するために容器シャッタ２と該パッキン部材３間の距離を縮める等して、好ましくは５〜５０％圧縮して用い、より好ましくは３０〜４０％圧縮して用いる。
【００３７】
尚、本実施の形態では、パッキン部材として、イノアック社製のポロン（ＬＥ―２０ＬＦ、厚み３ｍｍ）を使用し、圧縮率は３３％としている。又、貼り付けには両面テープを用い、両面テープは日東電工社製５０００ＮＳを用いている。更に、容器本体の貼り付け面の曲率はＲ＝４５ｍｍである。スリットの長さは２ｍｍである。
【００３８】
以上の構成の補給容器１において、容器シャッタ２を閉める際に、前記容器シャッタ２から張り出したシール部材４が、パッキン部材３の容器シャッタ２開閉方向と交差する開口部端縁と干渉するため、パッキン部材３が捲れたり削れたりすることがあった。そこで、例えば特許文献１では、干渉する部分に、排出開口１２に向かって傾斜する面１２ａを設けることで干渉を防止してきた。しかしながら、本実施の形態では、傾斜面１２ａを設けることなく、前記開口部端縁の両端にスリット３ａを設けることで、捲れや削れといった不具合を解消している。
【００３９】
以下に不具合解消のメカニズムについて図を用いて説明する。
【００４０】
図５は排出開口部の断面図である。図５において、容器シャッタ２が閉まる際に、前記容器シャッタ２はパッキン部材３を圧縮しながら閉まっていくため、シール部材４の先端部がパッキン部材３の開口部端面と干渉する。その際に図５に示すような変形をパッキン部材３がすることになる。この現象はスリット３ａの有無に拘らず起こる。この変形の際に、図６（Ａ）に示すように、スリットが設けられていない場合は、パッキン部材の開口部両端部３ｂに引っ張りの応力が発生する。この引っ張り応力により亀裂等が生じ、削れが発生し易くなる。そこで、この部分にスリット３ａを設けることで引っ張り応力を緩和し、開口部端縁全体に応力を分散することで捲れ及び削れを防止することが可能となる。図６（Ｂ）は変形時のイメージである。従来例の構成においては、排出開口部１２に傾斜面を設けているために、シール部材４とパッキン部材３の干渉がそもそも起こらないが、前述の組立上の不具合等があった。
【００４１】
上記構成と従来例（図１２及び図１３）との比較を図７に示す。
【００４２】
図１２は従来の現像剤補給容器１の外観図（シャッタ不図示）であり、画像形成装置本体内に装着される。この現像剤補給容器１は、本体にそのまま据え置かれて使用される所謂据え置き型（ビルトイン）のものであって、収納している現像剤を使い切るまで徐々に現像部へ現像剤を供給する。この現像剤補給容器１は、排出開口部１２に容器シャッタ２を設けた構成となっており、シール性を確保するためにパッキン部材３を排出開口部１２の周りに有している。容器シャッタ２の開閉は、現像剤容器に設けたノブ（ハンドル）５を回し、ノブ５に設けた駆動力伝達側係合部（ギア）５ａが、本体側の駆動力受側係合部（ギア）１０２と係合することで、本体側の駆動力伝達側係合部（ギア）１０２を介して容器シャッタ２に設けた駆動力受側係合部（ギア）２ａに駆動を伝達し、容器シャッタ２を開閉する構成となっている。この容器シャッタ２の開閉動作をよりスムーズに行うために、容器シャッタ２とパッキン部材３との滑り性向上のため、容器シャッタ２のパッキン部材３と摺動する面に、低摩擦抵抗材料から成るシール部材４を配置している。
【００４３】
又、このシール部材４は、容器シャッタ２開閉の際の現像剤による汚れを防止する目的で、容器シャッタ２開閉方向の閉方向に張り出している（図１参照）。更に、容器シャッタ２に設けたシール部材４の端部が、前記容器シャッタ２の開閉動作によって、排出開口１２に設けたパッキン部材３と干渉してこれが削れたり、捲れたりするのを防止するために、前記排出開口１２の前記容器シャッタ２開閉方向と交差する方向の開口部端縁に、排出開口１２に向かって傾斜する斜面１２ａを設け、その傾斜部１２ａに前記パッキン部材３を貼り付け干渉を防止していた（図１３）。本比較例１は傾斜面１２ａの長さを４ｍｍとし、スリット３ａは傾斜面１２ａに貼り付けるため４ｍｍとし、それ以外の構成は本発明の実施の形態１と同じである。
【００４４】
補給装置１００に装着し、ノブ５の回動による容器シャッタ２の開閉操作を繰り返した結果、パッキン部材の捲れや削れの不具合は発生無しであり、従来例と同等レベルであった。又、４０℃、９０％ＲＨの環境下に１０日間放置した後のパッキン部材の浮きに関しては、従来の構成が浮き有りに対して、本発明の実施の形態１の構成では浮き無しであった。
【００４５】
上記構成において曲面にパッキン部材を貼り付ける際に、傾斜面を無くすことで、パッキン部材の貼り付けが容易となり、貼りズレ、浮き等の管理項目を削減できる。又、斜面を設けないことでパッキン部材も小さくすることができ、排出開口部周りがコンパクトな構成とすることが可能となる。図８（Ａ）にコンパクト化の説明を示す。パッキン部材３を傾斜面１２ａに貼り付けるためには、両面テープの接着強度を考慮し、貼り付け部の浮き防止の観点から、傾斜角度にも限界があり、或る程度の長さの斜面が必要となり、従来例では４ｍｍの長さの傾斜面（図中Ａ寸法）を設けなければならなかった。
【００４６】
一方、本実施の形態では、傾斜面１２ａを設けることがないため、スリット３ａの長さ（Ｂ寸法）は短くてよく、スリット３ａの長さは２ｍｍで十分である。そのため、Ａ−Ｂの差分だけパッキン部材３を開閉方向側で小さくすることが可能となる。そのため、容器シャッタ２を小さくすることも可能となり、排出開口１２回りをコンパクトに設計することが可能となる。
【００４７】
＜実施の形態２＞
図９及び１０に本発明の実施の形態２の補給容器１を示す。本実施の形態の補給容器１は、パッキン部材３の貼り付け面がフラットな形状となっている。それ以外の構成は実施の形態１と同じである。
【００４８】
尚、本実施の形態２でも、使用するパッキン部材３は実施の形態１と同じであり、圧縮率等も同じに設定している。スリット３ａの長さは２ｍｍである。
【００４９】
上記構成と従来例２（図１４及び図１５）との比較（繰返し開閉動作での不具合有無確認及び浮き不具合比較）を図７に示す。従来例２では、傾斜面１２ａの長さを３ｍｍとし、前記傾斜面１２ａは容器シャッタ２の閉方向側に設けられている。その他の構成は本実施の形態２と同じである。補給装置１００に装着し、ノブ５の回動による容器シャッタ２の開閉操作を繰り返した結果、パッキン部材の捲れや削れの不具合は発生無しであり、従来例と同等レベルであった。又、４０℃、９０％ＲＨの環境下に１０日間放置した後のパッキン部材の浮きに関しては、従来の構成が浮き有りに対して、本発明の実施の形態２の構成では浮き無しであった。
【産業上の利用可能性】
【００５０】
本発明は、複写機やプリンタ等の電子写真画像形成装置に現像剤を補給する現像剤補給容器に対して適用可能である。
【図面の簡単な説明】
【００５１】
【図１】本発明の実施の形態１に係る現像剤補給容器の斜視図である。
【図２】本発明の実施の形態１に係る現像剤補給容器の排出開口部の部分斜視図である。
【図３】本発明の実施の形態１に係る現像剤補給容器の排出開口部の断面図である。
【図４】本発明の実施の形態１に係る補給装置の斜視図である。
【図５】原理説明図である。
【図６】原理説明図である。
【図７】比較結果を示す表である。
【図８】（Ａ）パッキン部材のコンパクト化説明図、（Ｂ）スリット幅と開口幅の関係を示す図である。
【図９】本発明の実施の形態２に係る現像剤補給容器の斜視図である。
【図１０】本発明の実施の形態２に係る現像剤補給容器の排出開口部の部分斜視図である。
【図１１】本発明の実施の形態２に係る現像剤補給容器の排出開口部の断面図である。
【図１２】従来例１を説明する図である。
【図１３】従来例１の排出開口部の断面図である。
【図１４】従来例２を説明する図である。
【図１５】従来例２の排出開口部の断面図である。
【符号の説明】
【００５２】
１    現像剤補給容器
１ａ    容器本体
２    容器シャッタ
２ａ    駆動力受側係合部
３    パッキン部材
３ａ    スリット
３ｂ１  スリットにより挟まれた領域
４    シール部材
５    ノブ（ハンドル）
５ａ    駆動力伝達側係合部
１１    容器シャッタガイド部
１２    排出開口部
１３    ガイド部
１２ａ  傾斜面
１００  補給装置
１０１  本体シャッタ
１０１ａ  開口部
１０２  駆動力伝達側係合部
１０３  駆動力受側係合部
１０４  現像剤補給開口
【図１】
2005221866.tif 000003
【図２】
2005221866.tif 000004
【図３】
2005221866.tif 000005
【図４】
2005221866.tif 000006
【図５】
2005221866.tif 000007
【図６】
2005221866.tif 000008
【図７】
2005221866.tif 000009
【図８】
2005221866.tif 000010
【図９】
2005221866.tif 000011
【図１０】
2005221866.tif 000012
【図１１】
2005221866.tif 000013
【図１２】
2005221866.tif 000014
【図１３】
2005221866.tif 000015
【図１４】
2005221866.tif 000016
【図１５】
2005221866.tif 000017